【事件の表示】
　平成　６年特許願第　　２９０１号「ウエブ搬送装置」拒絶査定不服審判事件〔平成　７年　８月　８日出願公開、特開平　７−２０６２２６〕について、次のとおり審決する。
【結　論】
　本件審判の請求は、成り立たない。
【理　由】
１．本願発明　
　本願は平成６年１月１７日の出願であって、その請求項１〜５に係る発明は、平成１７年５月２３日付け手続補正書で補正された、明細書及び図面の記載からみて、明細書の特許請求の範囲の請求項１〜５に記載されたとおりであると認められるところ、その請求項１に係る発明（以下、「本願発明」という。）は、以下のとおりである。
「ロール状に巻回されたウエブを給送自在に保持する複数のウエブ保持部材を設け、これらの複数のウエブ保持部材に個々にセットされた複数のウエブが共通に給送される一つのウエブ搬送路をウエブガイドで形成し、このウエブ搬送路に複数の前記ウエブを個々に給送する複数のウエブ給送機構を設け、これらのウエブ給送機構の一個を選択的に駆動する給送駆動手段を設け、この給送駆動手段が駆動する前記ウエブ給送機構で給送される前記ウエブの先端を検知する一個の先端検知センサを前記ウエブ搬送路に形成し、このウエブ搬送路に配置された前記先端検知センサの検知出力で前記ウエブの給送の可否を判定する可否判定手段を設け、このウエブ搬送路の前記先端検知センサが前記ウエブの先端を検知すると前記給送駆動手段で前記ウエブ給送機構を逆方向に一定量だけ駆動して前記ウエブの先端を初期位置に配置する給送準備手段を設け、この給送準備手段で配置される前記ウエブに対して可否判定手段が判定した給送可能を記憶する判定記憶手段を設けたことを特徴とするウエブ搬送装置。」
　
２．引用発明
　一方、当審の平成１７年３月２３日付けの拒絶理由で引用され、本願出願前の平成５年１２月１７日に頒布された特開平５−３３３６３４号公報（以下、「引用刊行物１」と言う。）には、図面と共に、以下の記載事項（ア）〜（カ）が記載されている。
（ア）「複数のロール紙と、各ロール紙を給紙する正逆転可能な給紙ローラと、装置本体に対して引出しまたは着脱可能なカッターユニットと、カッターユニットに設けられロール紙をカッターへと導く共通路と、共通路に位置するロール紙のサイズを検知するセンサーと、ロール紙装填時に、各ロール紙を順次に、カッターユニットへと供給し、当該ロール紙の紙サイズを検知した後、前記給紙ローラを逆転して当該ロール紙を前記共通路から退避させた状態で待機させる制御装置とを有することを特徴とする画像形成装置。」（【特許請求の範囲】【請求項３】）
（イ）「【従来の技術】かかる複数のロール紙を装填して有する画像形成装置においては、装填した各ロール紙のサイズを予め検知してメモリに記憶し、それと同時に、検知したロール紙のサイズをコントロールパネル上に表示する。次いで、オペレーターが希望する紙サイズを指定すると、当該サイズに一致するロール紙が選択され、画像形成のために供給される。」（段落【０００２】）
（ウ）「各カセット１〜４に装填した各ロール紙のサイズを検知するために、図１〜３に示すように、カッターユニット３１の共通路３２にその検知面を面して、サイズ検知センサー５２がカッターユニット３１に設けられている。・・・」（段落【００１９】）
（エ）「装填しているロール紙のサイズ検知は、画像形成装置への電源投入時、およびいずれかのロール紙カセット１〜４を引出し、再び装填した時に行われる。電源投入時においては、各カセットのロール紙が順にカッターユニット３１の共通路３２へと引き出され、そこにおいて当該カセットに装填しているロール紙のサイズが検知される。検知後、引き出されたロール紙は、対応する給紙ローラ２１〜２４および送り込みローラ２６が逆回転することにより、その先端が共通路３２、送り込みローラ２６から退避する位置まで後方に引き戻され、この退避位置において停止され、給紙に備えて待機する。このロール紙先端の退避位置を確認するため、適当な紙検知センサーＳ１〜Ｓ４が各ロール紙の専用通路に面して設けられている。」（段落【００２０】）
（オ）「このように、画像形成装置の電源をオンすると、例えば、カセット１のロール紙が給紙ローラ２１、送り込みローラ２６によって共通路３２へと送り込まれる。ここで、サイズ検知センサーの５２のセンサー５２ｄのみが作動したときには、カセット１のロール紙がＡ３サイズであることを検知する。この検知結果はコントローラのＲＡＭ等の適当なメモリに記憶される。検知後、給紙ローラ２１および送り込みローラ２６が逆回転してロール紙を引き戻し、その先端がスイッチＳ１により検知されると給紙ローラ２１および送り込みローラ２６が停止して、ロール紙は該位置で待機する。次いで、カセット２、３、４の各ロール紙が、順次に、上記のように引出され、サイズを検知され、記憶され、次いで引き戻されて共通路から退避した位置で待機する。このようにして検知された各カセットのロール紙のサイズは、画像形成装置の上部前面側に設けられたコントロールパネル５５上に表示される。」（段落【００２１】）
（カ）「【発明の効果】以上のように、本発明によれば、複数のロール紙が必ず通過するカッター部の共通路に共通のサイズ検知センサーを設けたことにより、装置をコンパクトとし、かつ低コストとすることができる。・・・」（段落【００３１】）
　
　ここで、図１を参照しつつ上記（ア）、（ウ）、（エ）の記載をみると、これらの記載事項から、ロール状に巻回されたロール紙を給送自在に保持する複数のロール紙保持部、これらの複数のロール紙保持部に個々にセットされた複数のロール紙が共通に給送される一つの共通路（３２）、この共通路に複数の前記ロール紙を個々に給送する複数の給紙ローラ（２１〜２４）を設け、前記給紙ローラで給送される前記ロール紙の先端を検知することにより前記ロール紙による給送可能サイズを検知する一個のサイズ検知センサ（５２）を前記共通路に形成したロール紙搬送装置、が把握される。
　そして、上記（オ）の記載から、前記ロール紙搬送装置のコントローラは、給紙ローラの一個を選択的に駆動し、前記共通路の前記サイズ検知センサにより前記ロール紙による給紙可能サイズを検知し、前記サイズ検知の検知出力で前記ロール紙による給送可能サイズを判定すると共に前記給紙ローラを逆方向に駆動して、退避位置を確認するために各ロール紙の専用通路に面して設けられた紙検知センサーＳ１〜Ｓ４で検知されるまで、前記ロール紙の先端を初期位置に配置し、前記配置される前記ロール紙に対して判定された給送可能サイズを記憶するＲＡＭ等の適当なメモリを備えていることが明らかである。
　
　以上を踏まえると、引用刊行物１には、「ロール状に巻回されたロール紙を給送自在に保持する複数のロール紙保持部、これらの複数のロール紙保持部に個々にセットされた複数のロール紙が共通に給送される一つの共通路（３２）、この共通路に複数の前記ロール紙を個々に給送する複数の給紙ローラ（２１〜２４）を設け、前記給紙ローラで給送される前記ロール紙による給送可能サイズを検知する一個のサイズ検知センサ（５２）を前記共通路に形成すると共に、前記給紙ローラの一個を選択的に駆動してロール紙の先端を前記共通路まで引き出し、前記共通路の前記サイズ検知センサにより前記ロール紙による給紙可能サイズを検知し、前記サイズ検知の検知出力で前記ロール紙による給送可能サイズを判定すると共に前記給紙ローラを逆方向に、ロール紙先端の退避位置を確認するために各ロール紙の専用通路に面して設けられた紙検知センサーＳ１〜Ｓ４で検知されるまで駆動して、前記ロール紙の先端を初期位置に配置し、前記配置される前記ロール紙に対して判定された給送可能サイズを記憶するＲＡＭ等の適当なメモリを備えたコントローラを有するロール紙搬送装置」の発明（以下、「引用発明」という。）が記載されているものと認める。
　
３．対比、判断
　引用発明における、「ロール紙」、「ロール紙保持部」、「共通路（３２）」、「給紙ローラ（２１〜２４）」は、それぞれ、本願発明における「ウエブ」、「ウエブ保持部材」、「ウエブ搬送路」、「ウエブ給送機構」に相当し、また、引用発明では「給紙ローラの一個を選択的に駆動してロール紙の先端を前記共通路まで引き出し、前記共通路の前記サイズ検知センサにより前記ロール紙による給紙可能サイズを検知」していることから、引用発明における「サイズ検知センサ」は、ロール紙の給送可能サイズを検知すると共に、ロール紙の先端を検知していることが明らかであるから、前記「サイズ検知センサ」は、本願発明における「先端検知センサ」に相当するものである。
　更に、引用発明において、共通路（３２）に設けられたサイズ検知センサ（５２）によりロール紙による給紙可能サイズを検知し、前記サイズ検知の検知出力で前記ロール紙による給送可能サイズを判定し、前記配置される前記ロール紙に対して判定された給送可能サイズを記憶していることは、各ロール紙、すなわち、ロール状に巻かれた各ウエブの給送可能サイズと共に給送可能状態をも記憶しているに等しいことが当業者にとって自明であることから、引用発明における「コントローラ」は、本願発明における「可否判定手段」、「給送準備手段」、「判定記憶手段」の機能を全て具備したものに相当する。
　
　以上を踏まえ、本願発明の用語を用いて表記しつつ、両発明を比較すると、両発明は、
「ロール状に巻回されたウエブを給送自在に保持する複数のウエブ保持部材を設け、これらの複数のウエブ保持部材に個々にセットされた複数のウエブが共通に給送される一つのウエブ搬送路をウエブガイドで形成し、このウエブ搬送路に複数の前記ウエブを個々に給送する複数のウエブ給送機構を設け、これらのウエブ給送機構の一個を選択的に駆動する給送駆動手段を設け、この給送駆動手段が駆動する前記ウエブ給送機構で給送される前記ウエブの先端を検知する一個の先端検知センサを前記ウエブ搬送路に形成し、このウエブ搬送路に配置された前記先端検知センサの検知出力で前記ウエブの給送の可否を判定する可否判定手段を設け、このウエブ搬送路の前記先端検知センサが前記ウエブの先端を検知すると前記給送駆動手段で前記ウエブ給送機構を逆方向に駆動して前記ウエブの先端を初期位置に配置する給送準備手段を設け、この給送準備手段で配置される前記ウエブに対して可否判定手段が判定した給送可能を記憶する判定記憶手段を設けたウエブ搬送装置。」である点で一致し、以下の点で相違する。
（相違点）
　給送駆動手段で前記ウエブ給送機構を逆方向に駆動して前記ウエブの先端を初期位置に配置する際に、本願発明では、ウエブ給送機構を逆方向に一定量だけ駆動しているのに対し、引用発明では、ウエブ給送機構（給紙ローラ（２１〜２４））を逆方向に、ウエブ先端（ロール紙先端）の退避位置を確認するために各ロール紙の専用通路に面して設けられた紙検知センサーＳ１〜Ｓ４で検知されるまで駆動している点
　
　そこで、上記（相違点）について検討すると、引用発明において、ウエブ給送機構の逆方向への駆動は、ウエブ先端（ロール紙先端）が、複数のウエブが共通に給送される一つのウエブ搬送路から退避される位置まで行われれば事足りることは自明であり、また、引用発明における紙検知センサーＳ１〜Ｓ４は、ウエブ先端（ロール紙先端）の退避位置を確認するために設けられたものであることを考慮すると、ウエブ給送機構の逆方向への駆動を、ウエブ先端（ロール紙先端）が、複数のウエブが共通に給送される一つのウエブ搬送路から退避される位置まで一定量行うこととするか、紙検知センサーＳ１〜Ｓ４によりウエブ先端（ロール紙先端）の退避位置を確認するまで行うかは、当業者にとって設計的な事項にすぎないから、引用発明において、ウエブ給送機構（給紙ローラ（２１〜２４））を逆方向に、ウエブ先端（ロール紙先端）の退避位置を確認するために各ロール紙の専用通路に面して設けられた紙検知センサーＳ１〜Ｓ４で検知されるまで駆動することに代えて、ウエブ給送機構を逆方向に一定量だけ駆動するようにその構成を変更することは、当業者ならば容易になし得た程度のことというべきである。
　また、上記（相違点）に基づく作用効果上の差異は、当業者であれば引用発明から十分予測し得る程度のことである。
　
４．むすび
　以上のとおり、本願発明は、その出願前日本国内または外国において頒布された引用刊行物１に記載された発明に基づいて、その出願前にその発明の属する技術の分野における通常の知識を有する者が容易に発明をすることができたものであるから、特許法第２９条第２項の規定により特許を受けることができない。
　したがって、他の請求項について検討するまでもなく本願は拒絶すべきものである。
　よって、結論のとおり審決する。